(57)【要約】【課題】枠部で囲まれた映像部分を自動で選択し、該映像部分を拡大表示することができる映像表示装置を提供する。【解決手段】受信された映像に含まれた枠部を選択し、選択された映像部分を表示部８に拡大表示するようにしてある映像表示装置に、所定のアスペクト比を有する矩形の枠部を検出する処理、枠部が検出されたか否かを判定する処理、枠部が検出されたと判定した場合、該枠部で囲まれた映像部分を選択する処理を実行する画像変換部７及び制御部１０を備える。【選択図】図１
2008066796.tif 000002
【特許請求の範囲】
【請求項１】
受信された映像の一部分を選択する選択手段を備え、該選択手段が選択した映像部分を拡大表示するようにしてある映像表示装置において、
映像に含まれた枠部を検出する枠部検出手段と、
該枠部検出手段が枠部を検出したか否かを判定する判定手段と
を備え、
前記選択手段は、
前記判定手段が枠部を検出したと判定した場合、前記枠部検出手段が検出した枠部で囲まれた映像部分を選択する手段を備える
ことを特徴とする映像表示装置。
【請求項２】
前記枠部検出手段は、
エッジ検出によって、映像に含まれた枠部を検出するようにしてある
ことを特徴とする請求項１に記載の映像表示装置。
【請求項３】
前記枠部検出手段は、
所定のアスペクト比を有する矩形の枠部を検出するようにしてある
ことを特徴とする請求項１又は請求項２に記載の映像表示装置。
【請求項４】
映像部分の拡大率を受け付ける受付手段と、
該受付手段が受け付けた拡大率で映像部分を拡大する手段と
を備えることを特徴とする請求項１乃至請求項３のいずれか一つに記載の映像表示装置。
【請求項５】
映像を表示する映像表示面を有しており、該映像表示面の略中心部分に映像部分を表示する手段を備える
ことを特徴とする請求項１乃至請求項４のいずれか一つに記載の映像表示装置。
【発明の詳細な説明】
【技術分野】
【０００１】
本発明は、映像の一部分を選択して拡大表示する機能を備えた映像表示装置に関する。
【背景技術】
【０００２】
映像表示装置は、デジタルチューナで受信された番組のデータを復調及び復号化し、復号化されたビデオデータ及び映像データを表示部及びスピーカに与えることによって、映像及び音声を出力する。
【０００３】
また、リモコン操作で上下左右に移動するカーソル枠を表示し、カーソル枠で選択された映像部分を拡大表示するように構成された映像表示装置が提案されている（例えば、特許文献１）。
【０００４】
特許文献１に係る映像表示装置においては、番組の映像における所望の領域を拡大して表示することができる。
【特許文献１】特開平４−１６７６８５号公報
【発明の開示】
【発明が解決しようとする課題】
【０００５】
しかしながら、従来の映像表示装置においては、拡大する領域を使用者がリモコン操作にて選択する必要があり、拡大処理に手間を要するという問題があった。
例えば、野球中継が延長された場合、野球中継の後に放送される映像の一部分に野球中継の映像が枠部で囲まれて縮小表示される場合があるが、このような場合、リモコンの拡大表示キーを操作してカーソル枠を表示させ、十字キーを操作して野球中継の映像部分をカーソル枠で選択した上で、決定キーを操作する必要がある。
【０００６】
本発明は、斯かる事情に鑑みてなされたものであり、映像に含まれた枠部を検出し、検出した該枠部で囲まれた映像部分を選択して、拡大表示するように構成することにより、枠部で囲まれた映像部分を自動で選択し、該映像部分を拡大表示することができる映像表示装置を提供することを目的とする。
【０００７】
本発明の他の目的は、エッジ検出にて映像に含まれた枠部を検出するように構成することにより、枠部で囲まれた映像部分と他の映像部分との合成方法に関わらず、枠部で囲まれた映像部分を選択して拡大表示することができる映像表示装置を提供することにある。
【０００８】
本発明の他の目的は、所定のアスペクト比を有する矩形の枠部を検出し、該枠部で囲まれた映像部分を拡大表示するように構成することにより、縮小表示された番組の映像部分をより誤り無く検出し、拡大表示することができる映像表示装置を提供することにある。
【０００９】
本発明の他の目的は、映像部分の拡大率を受け付け、受け付けた拡大率で映像部分を拡大表示するように構成することにより、所望の拡大率で映像部分を拡大表示することができる映像表示装置を提供することにある。
【００１０】
本発明の他の目的は、映像表示面の略中心部分に、拡大された映像部分を表示するように構成することにより、映像部分を映像表示面の端に表示する場合に比べて、該映像部分をより視認し易く拡大表示することができる映像表示装置を提供することにある。
【課題を解決するための手段】
【００１１】
本発明に係る映像表示装置は、受信された映像の一部分を選択する選択手段を備え、該選択手段が選択した映像部分を拡大表示するようにしてある映像表示装置において、映像に含まれた枠部を検出する枠部検出手段と、該枠部検出手段が枠部を検出したか否かを判定する判定手段とを備え、前記選択手段は、前記判定手段が枠部を検出したと判定した場合、前記枠部検出手段が検出した枠部で囲まれた映像部分を選択する手段を備えることを特徴とする。
【００１２】
本発明にあっては、枠部検出手段が映像に含まれた枠部を検出し、判定手段は枠部を検出したか否かを判定する。そして、選択手段は、枠部が検出された場合、該枠部で囲まれた映像部分を選択する。選択された映像部分は、拡大表示される。
従って、枠部で囲まれた映像部分を使用者が選択する必要はなく、該映像部分は自動で選択されて拡大表示される。
【００１３】
本発明に係る映像表示装置は、前記枠部検出手段が、エッジ検出によって、映像に含まれた枠部を検出するようにしてあることを特徴とする。
【００１４】
本発明にあっては、枠部検出手段が、エッジ検出によって、映像に含まれた枠部を検出する。
従って、枠部で囲まれた映像部分と、他の映像部分との合成方法に関わらず、枠部で囲まれた映像部分を選択することができる。例えば、一の映像中に枠部で囲まれた映像部分が合成された上で放送されている場合、つまり、一の映像と枠部で囲まれた映像部分とを区別するための情報が無い場合であっても、枠部を検出することができる。
【００１５】
本発明に係る映像表示装置は、前記枠部検出手段が、所定のアスペクト比を有する矩形の枠部を検出するようにしてあることを特徴とする。
【００１６】
本発明にあっては、枠部検出手段は、所定のアスペクト比を有する矩形の枠部を検出する。従って、所定のアスペクト比を有する映像部分が拡大表示され、他のアスペクト比を有する映像部分及び非矩形の映像部分は拡大表示されない。
【００１７】
本発明に係る映像表示装置は、映像部分の拡大率を受け付ける受付手段と、該受付手段が受け付けた拡大率で映像部分を拡大する手段とを備えることを特徴とする。
【００１８】
本発明にあっては、受付手段が映像部分の拡大率を受け付け、選択手段が選択した映像部分は、受付手段が受け付けた拡大率で拡大表示される。
従って、使用者が所望する拡大率で映像部分を拡大表示することができる。
【００１９】
本発明に係る映像表示装置は、映像を表示する映像表示面を有しており、該映像表示面の略中心部分に映像部分を表示する手段を備えることを特徴とする。
【００２０】
本発明にあっては、映像表示面の略中心部分に、選択された映像部分が拡大表示される。
従って、映像部分が略中心部分から偏倚して表示される場合に比べて、より見易く映像部分を拡大表示することができる。
【発明の効果】
【００２１】
本発明によれば、受信された映像に枠部が含まれている場合、該枠部で囲まれた映像部分を自動で選択し、該映像部分を拡大表示することができる。
例えば、受信された映像の隅に、延長された野球中継の映像が枠部で囲まれて縮小表示されている場合、枠部で囲まれた野球中継の映像を自動で拡大表示することができる。
【００２２】
本発明によれば、枠部で囲まれた映像部分と他の映像部分との合成方法に関わらず、枠部で囲まれた映像部分を選択して拡大表示することができる。
【００２３】
本発明によれば、縮小表示された番組の映像部分をより誤り無く検出し、拡大表示することができる。
【００２４】
本発明によれば、所望の拡大率で映像部分を拡大表示することができる。
【００２５】
本発明によれば、映像部分が略中心部分から偏倚して表示される場合に比べて、該映像部分をより見易く拡大表示することができる。
【発明を実施するための最良の形態】
【００２６】
以下、本発明をその実施の形態を示す図面に基づいて詳述する。
図１は、本発明の実施の形態に係る映像表示装置の構成を示すブロック図である。図中１は、アンテナＡで受信したＲＦ信号を増幅し、特定チャンネルの信号を選択するデジタルチューナであり、デジタルチューナ１は、選択した信号を復調部２に与える。
【００２７】
デジタルチューナ１から与えられた信号は、ＯＦＤＭ（Orthogonal Frequency Division Multiplexing）方式で変調されており、復調部２は、前記信号を、ＭＰＥＧ２ＴＳ（Transport Stream）形式のストリームデータに復調し、復調したストリームデータを分離部３に与える。
【００２８】
ＴＳ形式のストリームデータは、複数のパケットから構成されている。パケットは、番組の映像及び音声を構成する時系列順のビデオデータ及び音声データ等をパケット化したものであり、複数のパケットから、時系列順のビデオデータ及び音声データが復元される。
【００２９】
分離部３は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部３から与えられたビデオデータ及び音声データを夫々所定のタイミングでビデオデコーダ４及び音声デコーダ５に与える。
【００３０】
ビデオデコーダ４は、ビデオバッファから与えられたビデオデータを、ＭＰＥＧ２の圧縮伸張方式に従って復調し、復調したビデオデータをバッファメモリ６を介して画像変換部７に与える。
【００３１】
画像変換部７は、ビデオデコーダ４からバッファメモリ６を介して与えられたビデオデータに特定の処理を施し、処理されたビデオデータを表示部８に与える。具体的には、ビデオデータに係る映像に枠部Ｂ２が含まれている場合（図６参照）、枠部Ｂ２で囲まれた映像部分Ｂ１を選択し、選択された映像部分Ｂ１を映像部分Ｂ３に拡大表示するためのビデオデータを生成する。
【００３２】
音声デコーダ５は、音声バッファから与えられた音声データを、所定の圧縮伸張方式、例えばＡＡＣ（Advanced Audio Coding）の圧縮伸張方式に従って復調し、復調した音声データを、所定のタイミングでスピーカ９に与える。
【００３３】
デジタルチューナ１によるチャンネル選択、復調部２による復調、ビデオデコーダ４及び音声デコーダ５による復号化、画像変換部７による画像処理等は、制御部１０によって制御される。制御部１０は、ＣＰＵ、ＲＯＭ、ＲＡＭ等を備えたマイクロコンピュータからなり、各種ハードウェアに制御信号を与えて動作を制御する。また、制御部１０には、遠隔操作装置１２から送信される赤外光の信号を受信する受信部１１が設けられている。
【００３４】
表示部８は、映像を表示する映像表示面８ａ、例えば液晶パネル、パネル駆動部及びバックライトユニット等を備えており、画像変換部７から与えられたビデオデータに基づいて、映像を表示する。
スピーカ９は、音声デコーダ５から与えられた音声データに基づいて、音声を出力する。
【００３５】
図２は、遠隔操作装置１２を示す模式図である。遠隔操作装置１２は、チャンネル選択キー１２ａ、小画面拡大キー１２ｂ、拡大キー１２ｃ、縮小キー１２ｄ等を備えており、各種キー操作に応じた赤外線の信号を送信する。図１に示すように、受信部１１は、遠隔操作装置１２から送信された赤外線の信号を受信し、遠隔操作装置１２の操作状態を検出する。
【００３６】
図３及び図４は、枠部Ｂ２で囲まれた映像部分Ｂ１の拡大表示に係る制御部１０の処理手順を示すフローチャートである。
小画面拡大キー１２ｂが押下された場合、具体的には小画面拡大キー１２ｂに係る信号を受信部１１が受信した場合、制御部１０は、枠部Ｂ２の検出に係るサブルーチンを呼び出し、映像に含まれた枠部Ｂ２を検出する（ステップＳ１１）。
【００３７】
次いで、制御部１０は、枠部Ｂ２が検出されたか否かを判定する（ステップＳ１２）。枠部Ｂ２が検出されていないと判定した場合（ステップＳ１２：ＮＯ）、制御部１０は、枠部Ｂ２で囲まれた映像部分Ｂ１の拡大表示に係る処理を終える。
【００３８】
枠部Ｂ２が検出されたと判定した場合（ステップＳ１２：ＹＥＳ）、制御部１０は、枠部Ｂ２で囲まれた映像部分Ｂ１を選択し、該映像部分Ｂ１を映像表示面８ａの略中心部分に表示させる（ステップＳ１３）。
【００３９】
次いで、制御部１０は、映像部分Ｂ１の拡大率Ｍに所定拡大率を設定する（ステップＳ１４）。そして、制御部１０は、拡大キー１２ｃが押下されたか否かを判定する（ステップＳ１５）。拡大キー１２ｃが押下されたと判定した場合（ステップＳ１５：ＹＥＳ）、制御部１０は、拡大率Ｍを増加させる（ステップＳ１６）。
【００４０】
ステップＳ１６の処理を終えた場合、又は拡大キー１２ｃが押下されていないと判定した場合（ステップＳ１５：ＮＯ）、制御部１０は、縮小キー１２ｄが押下されたか否かを判定する（ステップＳ１７）。縮小キー１２ｄが押下されたと判定した場合（ステップＳ１７：ＹＥＳ）、制御部１０は、拡大率Ｍを減少させる（ステップＳ１８）。
【００４１】
ステップＳ１８の処理を終えた場合、又は縮小キー１２ｄが押下されていないと判定した場合（ステップＳ１７：ＮＯ）、制御部１０は、枠部Ｂ２で囲まれた映像部分Ｂ１を、補間処理によって拡大率Ｍで拡大表示する（ステップＳ１９）。
【００４２】
次いで、制御部１０は、枠部Ｂ２の検出に係るサブルーチンを呼び出し、復調されたビデオデータに係る映像中の枠部Ｂ２を検出する（ステップＳ２０）。そして、制御部１０は、枠部Ｂ２が検出されたか否かを判定する（ステップＳ２１）。枠部Ｂ２が検出されていないと判定した場合（ステップＳ２１：ＮＯ）、制御部１０は、原映像、つまりビデオデコーダ４から出力されたビデオデータに係る映像を表示させ（ステップＳ２２）、枠部Ｂ２で囲まれた映像部分Ｂ１の拡大表示に係る処理を終える。
【００４３】
枠部Ｂ２が検出されたと判定した場合（ステップＳ２１：ＹＥＳ）、制御部１０は、小画面拡大キー１２ｂが押下されたか否かを判定する（ステップＳ２３）。小画面拡大キー１２ｂが押下されていないと判定した場合（ステップＳ２３：ＮＯ）、制御部１０は、処理をステップＳ１５へ戻す。小画面拡大キー１２ｂが押下されたと判定した場合（ステップＳ２３：ＹＥＳ）、制御部１０は、原映像を表示させ（ステップＳ２４）、枠部Ｂ２で囲まれた映像部分Ｂ１の拡大表示に係る処理を終える。
【００４４】
図５は、枠部検出のサブルーチンに係る制御部１０の処理手順を示すフローチャートである。
枠部Ｂ２の検出に係るサブルーチンを呼び出した場合、制御部１０は、復調されたビデオデータに係る映像中のエッジ部分を検出する（ステップＳ４１）。そして、制御部１０は、エッジ部分の検出結果に基づいて、矩形の枠部Ｂ２を特定する（ステップＳ４２）
【００４５】
次いで、制御部１０は、矩形の枠部Ｂ２があるか否かを判定する（ステップＳ４３）。矩形の枠部Ｂ２があると判定した場合（ステップＳ４３：ＹＥＳ）、制御部１０は、枠部Ｂ２のアスペクト比と所定アスペクト比とが等しいか否かを判定する（ステップＳ４４）。所定アスペクト比は、例えば４／３、又は１６／９である。
【００４６】
枠部Ｂ２のアスペクト比と所定アスペクト比とが等しいと判定した場合（ステップＳ４４：ＹＥＳ）、制御部１０は、枠部Ｂ２の面積、即ち枠部Ｂ２で囲まれる部分の面積が所定面積以上であるか否かを判定する（ステップＳ４５）。枠部Ｂ２の面積が所定面積以上であると判定した場合（ステップＳ４５：ＹＥＳ）、制御部１０は、特定された枠部Ｂ２の位置を記憶し（ステップＳ４６）、枠部Ｂ２の検出に係るサブルーチンの処理を終える。
【００４７】
矩形の枠部Ｂ２がないと判定した場合（ステップＳ４３：ＮＯ）、枠部Ｂ２のアスペクト比と所定アスペクト比とが等しくないと判定した場合（ステップＳ４４：ＮＯ）、又は枠部Ｂ２の面積が所定面積未満であると判定した場合（ステップＳ４５：ＮＯ）、制御部１０は、枠部Ｂ２が検出されなかった旨を記憶し（ステップＳ４７）、枠部Ｂ２の検出に係るサブルーチンの処理を終える。
【００４８】
図６は、拡大表示された映像部分Ｂ１を示す模式図である。図６（ａ）は、復調されたビデオデータに係る映像を示している。ここで、小画面拡大キー１２ｂが押下された場合、図６（ａ）、（ｂ）に示すように、枠部Ｂ２で囲まれた映像部分Ｂ１が所定の拡大率Ｍで拡大され、拡大された映像部分Ｂ３が映像表示面８ａの略中心部分に表示される。
【００４９】
映像部分Ｂ１が拡大表示されている場合に拡大キー１２ｃが押下された場合、図６（ｃ）に示すように、より大きな拡大率Ｍで拡大された映像部分Ｂ４が表示される。縮小キー１２ｄが押下された場合、図６（ｄ）に示すようにより小さな拡大率Ｍで拡大された映像部分Ｂ５が表示される。
【００５０】
また、映像部分Ｂ１が拡大表示されている場合に小画面拡大キー１２ｂが操作された場合、原映像が表示される。
【００５１】
このように構成された映像表示装置にあっては、枠部Ｂ２で囲まれた映像部分Ｂ１を自動的に検出及び選択し、拡大表示することができる。従って、使用者は、小画面拡大キー１２ｂを押下するのみで、枠部Ｂ２で囲まれた映像部分Ｂ１を拡大表示させることができる。
【００５２】
また、エッジ検出によって枠部Ｂ２で囲まれた映像部分Ｂ１を選択するように構成しているため、枠部Ｂ２で囲まれた映像部分Ｂ１と他の映像部分との合成方法に関わらず、枠部Ｂ２で囲まれた映像部分Ｂ１を選択して拡大表示することができる。
【００５３】
更に、所定面積以上であって、所定アスペクト比を有する矩形の枠部Ｂ２で囲まれた映像部分Ｂ１、例えば縮小表示された番組の映像部分Ｂ１をより誤り無く検出し、拡大表示することができる。
【００５４】
更にまた、拡大キー１２ｃ又は縮小キー１２ｄを操作することによって、所望の拡大率で映像部分Ｂ１を拡大表示することができる。
【００５５】
更にまた、枠部Ｂ２で囲まれた映像部分Ｂ１を映像表示面８ａの略中心部分に拡大表示するため、映像部分Ｂ３，Ｂ４，Ｂ５が略中心部分から偏倚して表示される場合に比べて、映像部分Ｂ１をより見易く拡大表示することができる。
【００５６】
なお、実施の形態にあっては、エッジ検出にて枠部を検出するように構成しているが、所定のテンプレート画像、例えば枠状の画像、枠部の角部分の画像等に基づくパターンマッチング処理にて枠部を検出するように構成しても良い。また、連結している静止画部分を枠部として検出するように構成しても良い。
【００５７】
更に、拡大すべき映像部分を囲んでいる枠部を、枠部のアスペクト比、面積に基づいて選択的に検出するように構成してあるが、アスペクト比、又は面積のみに基づいて選択的に検出するように構成しても良い。
【００５８】
更にまた、拡大された映像部分を、映像表示面の略中心部分に表示するように構成してあるが、中心部分から偏倚するように表示しても良い。
【図面の簡単な説明】
【００５９】
【図１】本発明の実施の形態に係る映像表示装置の構成を示すブロック図である。
【図２】遠隔操作装置を示す模式図である。
【図３】枠部で囲まれた映像部分の拡大表示に係る制御部の処理手順を示すフローチャートである。
【図４】枠部で囲まれた映像部分の拡大表示に係る制御部の処理手順を示すフローチャートである。
【図５】枠部検出のサブルーチンに係る制御部の処理手順を示すフローチャートである。
【図６】拡大表示された映像部分を示す模式図である。
【符号の説明】
【００６０】
Ａ  アンテナ
Ｂ１  映像部分
Ｂ２  枠部
１  デジタルチューナ
２  復調部
３  分離部
４  ビデオデコーダ
５  音声デコーダ
６  バッファメモリ
７  画像変換部
８  表示部
８ａ  映像表示面
９  スピーカ
１０  制御部
１１  受信部
１２  遠隔操作装置
１２ａ  チャンネル選択キー
１２ｂ  小画面拡大キー
１２ｃ  拡大キー
１２ｄ  縮小キー
【図１】
2008066796.tif 000003
【図２】
2008066796.tif 000004
【図３】
2008066796.tif 000005
【図４】
2008066796.tif 000006
【図５】
2008066796.tif 000007
【図６】
2008066796.tif 000008